(57)【要約】【課題】プリンタや複写機におけるトナーセーブ印刷のための新技術を提供する。【解決手段】前景、マスク、背景の組からなる構造化文書の符号を復号部１１０，１１１，１１２で復号し、合成処理部１１３でマスクに従って前景と背景を合成することにより文書画像データを再生する。背景復号部１１１内に背景を明るく淡い画像へ補正するためのトナーセーブ処理手段１０１を有する。トナーセーブ処理は、輝度コンポーネントの画素値の補正、輝度コンポーネント又は輝度・色差コンポーネントのＬＬサブバンド係数の補正、輝度コンポーネント又は輝度・色差コンポーネントのＬＬサブバンド係数に対する逆正規化に用いる正規化分母値の補正によって行われる。トナーセーブ印刷でも文書中の文字は普通に再現される。【選択図】図７
2007235679.tif 000002
【特許請求の範囲】
【請求項１】
前景、マスク及び背景の組からなる構造化文書の符号から、前景、マスク及び背景を復号し、復号されたマスクに従って復号された前景と背景を合成することにより文書画像データを再生する文書画像再生処理手段と、
前記文書画像再生処理手段により再生された文書画像データを色材を用いて媒体に印刷する画像出力手段とを有し、
前記文書画像再生処理手段は、構造化文書の符号から再生される文書画像データを、前記画像出力手段により色材の消費を抑えて印刷可能なものにするためのトナーセーブ処理を、該構造化文書の背景に対し施すトナーセーブ処理手段を含むことを特徴とする画像出力システム。
【請求項２】
構造化文書の背景の符号は、輝度、色差の各コンポーネント別に符号化された符号であり、
前記トナーセーブ処理手段は、背景の符号の復号過程において、輝度コンポーネントに対し前記トナーセーブ処理を施すことを特徴とする請求項１記載の画像出力システム。
【請求項３】
構造化文書の背景の符号は、輝度、色差の各コンポーネント別に符号化された符号であり、
前記トナーセーブ処理手段は、背景の符号の復号過程において、輝度コンポーネント及び色差コンポーネントに対し前記トナーセーブ処理を施すことを特徴とする請求項１記載の画像出力システム。
【請求項４】
前記トナーセーブ処理は、背景の符号の復号過程において、輝度コンポーネントの画素値を増大させる側へ補正する処理であって、該補正する処理において小さい画素値に対する補正の度合が大きい画素値に対する補正の度合より大きいことを特徴とする請求項２記載の画像出力システム。
【請求項５】
構造化文書の背景の符号は輝度、色差の各コンポーネント別にサブバンド分割された符号であり、
前記トナーセーブ処理は、背景の符号の復号過程において、輝度コンポーネントの低周波サブバンドの係数値を増大させる側へ補正する処理であって、該補正する処理において小さい係数値に対する補正の度合が大きい係数値に対する補正の度合より大きいことを特徴とする請求項２記載の画像出力システム。
【請求項６】
構造化文書の背景の符号は輝度、色差の各コンポーネント別に階層的にサブバンド分割された符号であり、
前記トナーセーブ処理は、背景の符号の復号過程において、輝度コンポーネントの所定階層以下の階層のサブバンドの係数値を増大させる側へ補正する処理であって、該補正する処理において小さい係数値に対する補正の度合が大きい係数値に対する補正の度合より大きいことを特徴とする請求項２記載の画像出力システム。
【請求項７】
構造化文書の背景の符号は輝度、色差の各コンポーネント別にサブバンド分割され、各サブバンドの係数値に正規化が施された符号であり、
前記トナーセーブ処理は、背景の符号の復号過程において、輝度コンポーネントの低周波サブバンドの係数値に対する逆正規化に用いる正規化分母値を標準値より増大させる側へ補正する処理であって、該補正する処理において小さい係数値に対する逆正規化に用いる正規化分母値の補正の度合が、大きい係数値に対する逆正規化に用いる正規化分母値の補正の度合より大きいことを特徴とする請求項２記載の画像出力システム。
【請求項８】
構造化文書の背景の符号は輝度、色差の各コンポーネント別に階層的にサブバンド分割され、各サブバンドの係数値に正規化が施された符号であり、
前記トナーセーブ処理は、背景の符号の復号過程において、輝度コンポーネントの所定階層以下の階層のサブバンドの係数値に対する逆正規化に用いる正規化分母値を標準値より増大させる側へ補正する処理であって、該補正する処理において、小さい係数値に対する逆正規化に用いる正規化分母値の補正の度合が、大きい係数値に対する逆正規化に用いる正規化分母値の補正の度合より大きいことを特徴とする請求項２記載の画像出力システム。
【請求項９】
構造化文書の背景の符号は輝度、色差の各コンポーネント別にサブバンド分割された符号であり、
前記トナーセーブ処理は、背景の符号の復号過程において、輝度コンポーネントの低周波サブバンドの係数値を増大させる側へ補正する処理と、色差コンポーネントの低周波サブバンドの係数値をその絶対値を減少させる側へ補正する処理とからなり、
前記輝度コンポーネントの係数値を補正する処理において、小さい係数値に対する補正の度合が大きい係数値に対する補正の度合より大きく、
前記色差コンポーネントの係数値を補正する処理において、絶対値の大きい係数値に対する補正の度合が絶対値の小さい係数値に対する補正の度合より大きいことを特徴とする請求項３記載の画像出力システム。
【請求項１０】
構造化文書の背景の符号は輝度、色差の各コンポーネント別に階層的にサブバンド分割された符号であり、
前記トナーセーブ処理は、背景の符号の復号過程において、輝度コンポーネントの所定階層以下の階層のサブバンドの係数値を増大させる側へ補正する処理と、色差コンポーネントの所定階層以下の階層のサブバンドの係数値をその絶対値を減少させる側へ補正する処理とからなり、
前記輝度コンポーネントの係数値を補正する処理において、小さい係数値に対する補正の度合が、大きい係数値に対する補正の度合より大きく、
前記色差コンポーネントの係数値を補正する処理において、絶対値の大きい係数値に対する補正の度合が、絶対値の小さい係数値に対する補正の度合より大きいことを特徴とする請求項３記載の画像出力システム。
【請求項１１】
構造化文書の背景の符号は輝度、色差の各コンポーネント別にサブバンド分割され、各サブバンドの係数値に正規化が施された符号であり、
前記トナーセーブ処理は、背景の符号の復号過程において、輝度コンポーネントの低周波サブバンドの係数値に対する逆正規化に用いる正規化分母値を標準値より増大させる側へ補正する処理と、色差コンポーネントの低周波サブバンドの係数値に対する逆正規化に用いる正規化分母値を標準値より減少させる側へ補正する処理とからなり、
前記輝度コンポーネントの係数値の逆正規化に用いる正規化分母値を補正する処理において、小さい係数値に対する逆正規化に用いる正規化分母値の補正の度合が、大きい係数値に対する逆正規化に用いる正規化分母値の補正の度合より大きく、
前記色差コンポーネントの係数値の逆正規化に用いる正規化分母値を補正する処理において、絶対値の大きい係数値に対する逆正規化に用いる正規化分母値の補正の度合が、絶対値の小さい係数値に対する逆正規化に用いる正規化分母値の補正の度合より大きいことを特徴とする請求項３記載の画像出力システム。
【請求項１２】
構造化文書の背景の符号は輝度、色差の各コンポーネント別に階層的にサブバンド分割され、各サブバンドの係数値に正規化が施された符号であり、
前記トナーセーブ処理は、背景の符号の復号過程において、輝度コンポーネントの所定階層以下の階層のサブバンドの係数値に対する逆正規化に用いる正規化分母値を標準値より増大させる側へ補正する処理と、色差コンポーネントの所定階層以下の階層のサブバンドの係数値に対する逆正規化に用いる正規化分母値を標準値より減少させる側へ補正する処理とからなり、
前記輝度コンポーネントの係数値の逆正規化に用いる正規化分母値を補正する処理において、小さい係数値に対する逆正規化に用いる正規化分母値の補正の度合が、大きい係数値に対する逆正規化に用いる正規化分母値の補正の度合より大きく、
前記色差コンポーネントの係数値の逆正規化に用いる正規化分母値を補正する処理において、絶対値の大きい係数値に対する逆正規化に用いる正規化分母値の補正の度合が、絶対値の小さい係数値に対する逆正規化に用いる正規化分母値の補正の度合より大きいことを特徴とする請求項３記載の画像出力システム。
【請求項１３】
構造化文書の背景の符号は輝度、色差の各コンポーネント別にサブバンド分割された符号であり、
背景の符号の復号過程において輝度コンポーネントの画素値に対し前記トナーセーブ処理を施す高精度モードと、
背景の符号の復号過程において輝度コンポーネントの低周波サブバンドの係数値に対し、あるいは、輝度コンポーネント及び色差コンポーネントの低周波サブバンドの係数値に対し、前記トナーセーブ処理を施す高速モードと有し、
前記高精度モード又は前記高速モードを選択可能であることを特徴とする請求項１記載の画像出力システム。
【請求項１４】
構造化文書の背景の符号は輝度、色差の各コンポーネント別に階層的にサブバンド分割された符号であり、
背景の符号の復号過程において輝度コンポーネントの画素値に対し前記トナーセーブ処理を施す高精度モードと、
背景の符号の復号過程において輝度コンポーネントの所定階層以下の階層のサブバンドの係数値に対し、あるいは、輝度コンポーネント及び色差コンポーネントの所定階層以下の階層のサブバンドの係数値に対し、前記トナーセーブ処理を施す高速モードと有し、
前記高精度モード又は前記高速モードを選択可能であることを特徴とする請求項１記載の画像出力システム。
【請求項１５】
前記高精度モードが選択された場合に前記高精度モード用のプレビュー画像を表示し、前記高速モードが選択された場合に前記高速モード用プレビュー画像を表示する手段を有することを特徴とする請求項１３又は１４記載の画像出力システム。
【請求項１６】
請求項４乃至１２のいずれか１項記載の文書画像再生処理手段としてコンピュータを機能させるプログラム。
【請求項１７】
請求項４乃至１２のいずれか１項記載の文書画像再生処理手段としてコンピュータを機能させるプログラムが記録された、コンピュータが読み取り可能な情報記録媒体。
【発明の詳細な説明】
【技術分野】
【０００１】
本発明は、プリンタや複写機等において色材（トナー，インク等）の消費を節約した印刷（トナーセーブ印刷と総称する）を実現するための技術に係り、より詳しくは、前景、マスク及び背景の組からなる構造化文書の符号からトナーセーブ印刷用の文書画像データを再生する技術に関する。
【背景技術】
【０００２】
トナーセーブ印刷を実現するための最も簡単な方法は、例えば特許文献１に記載されているように、印刷しようとする画像データに対し、濃度値を薄くする方向にガンマ補正を施したり、単純な間引き処理を施したりする方法である。しかし、このような方法では、特許文献１にも述べられているように薄い文字が読みにくくなったり細線が消失する等の問題点がある。
【０００３】
また、画像データの符号化段階でトナーセーブを実現しようとする発明が特許文献１に記載されている。この発明では、画像データを小ブロックに分割し、ブロック単位でサブバンド変換を行い、高周波係数が大きなブロックについては、そのサブバンド変換係数をそのまま又は高濃度側へ補正してからエントロピー符号化し、高周波係数の小さなブロックについては、そのサブバンド変換係数を０（白）に変換してからエントロピー符号化する。したがって、生成された符号を復号すると、元の画像中のエッジ（輪郭）のみからなる画像又はエッジが強調された画像が得られる。このような再生画像の印刷時のトナーセーブが可能であり、文字が見にくくなったり細線が消滅したりすることも少ない。
【０００４】
【特許文献１】特開平１１−１３６５１５合公報
【発明の開示】
【発明が解決しようとする課題】
【０００５】
しかし、上記特許文献１に記載された発明は、予めトナーセーブ印刷しようとするテスト用文書の符号を生成するような目的には好適であっても、プリンタにおいて一般の文書画像をトナーセーブ印刷する目的や、複写機等において保存されている一般の文書画像をトナーセーブ印刷する目的には適用困難であることは明らかである。
【０００６】
一方、プリンタや複写機等において、印刷しようとする画像データに対し濃度値を薄くする方向にガンマ補正を施したり単純な間引き処理を施したりする方法は、上に述べたような問題点がある。
【０００７】
よって、本発明の目的は、上記従来技術とは違ったアプローチにより、上述の如き問題点のないトナーセーブ印刷を実現することにある。本発明は、前景、マスク及び背景の組からなる構造化文書の符号が入力されるタイプのプリンタや、読み取った文書を構造化文書の符号として保存する複写機等の画像出力システムに適用可能であり、また、パソコン等に保存されている構造化文書を、構造化文書をそのままでは処理できないタイプのプリンタに出力する画像出力システムに適用可能である。
【０００８】
ここで、本発明に係わる構造化文書について説明する。文字・線画と写真等の絵柄が混在した文書の圧縮手法として米国Ｘｅｒｏｘ社のＭＲＣ（Mixed  Raster  Contents）と呼ばれる手法がある。ＭＲＣでは、図１に模式的に示すように、文書画像１を、通常、文字の色情報を表す前景２、画素単位の文字領域を表すマスク３、写真等の絵柄の画像情報を表す背景４の３レイヤに分け（構造化し）、レイヤごとに符号化が行われる。図１の例では、前景２はＪＢＩＧにより、マスク３はＭＭＲにより、背景４はＪＰＥＧにより、それぞれ符号化されているが、これは例示にすぎない。また、例ではマスクは２値データであるが、後述のように多値データとすることも可能である。
【０００９】
また、ＭＲＣモデルの前景、マスク、背景の符号化方式としてＪＰＥＧ２０００の選択を可能としたＪＰＭ（JPEG2000  Muli  Layer）が標準化された(IS  15444-6）。
【００１０】
ＭＲＣやＪＰＭの構造化文書の符号から文書画像データを再生する方法は以下の通りである。まず、前景、マスク及び背景が復号される。次に、マスクに従って前景と背景を合成する。この合成においては、マスクが白黒２値の場合、マスク値が１（黒）の画素位置では合成画素値＝前景画素値、マスク値が０（白）の画素位置では合成画素値＝背景画素値とする。言い換えるならば、マスク値が１の画素位置では不透明度を１、マスク値が０の画素位置では不透明度を０（透明度を１）として、背景に前景を重ね合わせる。この場合、マスクは前景と背景を選択する機能を持つわけである。
【００１１】
マスクを多値にすることもできる。例えばマスクの各画素が８ビットの正値（０を含む）をとる場合には、各画素について
合成画像値＝（255−マスク値）／255）×背景値＋（マスク値／255）×前景値
により前景値と背景値の加重平均をとった値が合成画像値となる。この場合、マスクは前景と背景の表示割合（不透明度もしくは透明度）を制御する機能を持つわけである。
【００１２】
後述する本発明の実施形態においては、構造化文書の背景符号はＪＰＥＧ２０００の符号であるので、ここでＪＰＥＧ２０００の概要を説明する。ただし、後述するように、背景の符号としてＪＰＥＧ２０００以外の符号が用いられる場合にも、本発明を適用可能である。
【００１３】
図２はＪＰＥＧ２０００の符号化アルゴリズムを説明するためのブロック図である。カラー画像はコンポーネント毎に重複しない矩形ブロックであるタイルに分割される（タイル分割数≧１）。圧縮・伸長は、コンポーネント毎かつタイル毎に独立に行なわれる。
【００１４】
まず、各コンポーネントの各タイルのデータが処理ブロック１１で例えばＲＧＢ空間からＹＣｂＣｒ空間へ変換される。元のデータがＲＧＢデータのように正の整数値をとる形式である場合には、ダイナミックレンジの半分を減算するためのＤＣレベルシフトも行われ。変換後のＹ，Ｃｂ，Ｃｒ各コンポーネントのデータは、処理ブロック１２でタイル毎に２次元ウェーブレット変換(順変換)を適用されてサブバンド（周波数帯）に空間分割される。
【００１５】
図３に、デコンポジション・レベル数が３の場合のサブバンド分割の様子を示す。図３（ａ）に示す各タイルのＹ，Ｃｂ，Ｃｒ各コンポーネントに対して２次元ウェーブレット変換を施すことにより、図３（ｂ）に示すサブバンド(1LL,1HL,1LH,1HH)に分割する。このデコンポジションレベル１（最高階層）の低周波サブバンドである１LLサブバンドの係数に対して２次元ウェーブレット変換を施すことにより、図３（ｃ）に示すサブバンド(2LL,2HL,2LH,2HH)に分割する。このデコンポジションレベル２の低周波サブバンドである2LLサブバンドの係数に対し２次元ウェーブレット変換を施し、図３（ｄ）に示すデコンポジションレベル３（この例では最低階層）のサブバンド(3LL,3HL,3LH,3HH)に分割する。
【００１６】
図２に戻る。ＪＰＥＧ２０００では、９×７変換と呼ばれる非可逆ウェーブレット変換と５×３変換と呼ばれる可逆ウェーブレット変換が規定されている。９×７変換が用いられる場合には、処理ブロック１３で、各コンポーネントのウェーブレット係数はサブバンド毎に線形量子化（サブバンドゲイン等の補正のための正規化を含む）が施される。そして、処理ブロック１４において、指定された符号化の順番で符号化のターゲットビットを定め、ターゲットビットの周辺のビットからコンテキストを生成し、このコンテキストとターゲットビットから確率推定によりウェーブレット係数をエントロピー符号化する。
【００１７】
より詳しくは、図４に示すように、各サブバンドはプレシンクトと呼ばれる重複しない矩形領域に分割される。同じデコンポジションレベルのＬＨ，ＨＬ，ＨＨサブバンドの空間的に一致した３つの矩形領域が１つのプレシンクトとして扱われる。ただし、ＬＬサブバンドは１つの矩形領域が１つのプレシンクトとして扱われる。プレシンクトは大まかには画像中の位置を表すものである。プレシンクトをさらに矩形に分割したものがコードブロックであり、エントロピー符号化の単位である。ＪＰＥＧ２０００では、ウェーブレット係数に対し、コードブロック毎に、かつ、ビットプレーン順に、ＭＱ符号化と呼ばれるビットプレーン符号化を行う。
【００１８】
次に、処理ブロック１５で、不要なエントロピー符号を破棄し、必要なエントロピー符号をまとめてパケットを生成する。そして、処理ブロック１６でパケットを所定の順序で並べるとともに必要なヘッダなどを付加することにより１本のコードストリーム（符号）を形成する。ここで、パケットとは、プレシンクトに含まれる全てのコードブロックの符号の一部を集めたもの（例えば全てのコードブロックのＭＳＢから３枚目までのビットプレーンの符号を集めたもの）に、パケットヘッダを付けたものである。
【００１９】
一方、復号（伸長）処理は符号化処理と丁度逆の処理により、各コンポーネントの各タイルのコードストリームから画像データを生成する。図５は復号アルゴリズムを説明するためのブロック図である。
【００２０】
処理ブロック２１で、入力コードストリームに付加されたヘッダ情報を解釈し、各コンポーネントの各タイルのコードストリームに分解し、さらにパケットに分解する。次に処理ブロック２２でパケットをコードブロック毎の符号に分割し、処理ブロック２３でコードブロック毎に符号をビットプレーン復号化する。このビットプレーン復号化では、指定された順番（ヘッダ情報から分かる）でターゲットビット位置を定め、その周辺ビット（復号済み）からコンテキストを生成し、このコンテキストとコードストリームから確率推定によって復号化（ＭＱ復号化）を行ってターゲットビットを生成し、それをターゲットビットの位置に書き込む。このようにして復号化されたウェーブレット係数は、９×７変換が用いられた符号の場合には、処理ブロック２４で逆量子化（逆正規化を含む）を施される。次に、処理ブロック２５で２次元逆ウェーブレット変換を施されることにより、Ｙ，Ｃｂ，Ｃｒ各コンポーネントのタイル画像が復元される。復元されたＹＣｂＣｒデータは、処理ブロック２６でＤＣ逆レベルシフト及び逆色変換を施されることにより元のＲＧＢ表色系のデータに戻される。
【課題を解決するための手段】
【００２１】
請求項１記載の発明は、前景、マスク及び背景の組からなる構造化文書の符号から、前景、マスク及び背景を復号し、復号されたマスクに従って復号された前景と背景を合成することにより文書画像データを再生する文書画像再生処理手段と、前記文書画像再生処理手段により再生された文書画像データを色材を用いて媒体に印刷する画像出力手段とを有し、前記文書画像再生処理手段は、構造化文書の符号から再生される文書画像データを、前記画像出力手段により色材の消費を抑えて印刷可能なものにするためのトナーセーブ処理を、該構造化文書の背景に対し施すトナーセーブ処理手段を含むことを特徴とする画像出力システムである。
【００２２】
請求項２記載の発明は、請求項１記載の発明に係る画像出力システムにおいて、構造化文書の背景の符号は輝度、色差の各コンポーネント別に符号化された符号であって、前記トナーセーブ処理手段は、背景の符号の復号過程において、輝度コンポーネントに対し前記トナーセーブ処理を施すことを特徴とする画像出力システムである。
【００２３】
請求項３記載の発明は、請求項１記載の発明に係る画像出力システムにおいて、構造化文書の背景の符号は輝度、色差の各コンポーネント別に符号化された符号であって、前記トナーセーブ処理手段は、背景の符号の復号過程において、輝度コンポーネント及び色差コンポーネントに対し前記トナーセーブ処理を施すことを特徴とする画像出力システムである。
【００２４】
請求項４記載の発明は、請求項２記載の発明に係る画像出力システムにおいて、前記トナーセーブ処理は、背景の符号の復号過程において、輝度コンポーネントの画素値を増大させる側へ補正する処理であって、該補正する処理において小さい画素値に対する補正の度合が大きい画素値に対する補正の度合より大きいことを特徴とする画像出力システムである。
【００２５】
請求項５記載の発明は、請求項２記載の発明に係る画像出力システムにおいて、構造化文書の背景の符号は輝度、色差の各コンポーネント別にサブバンド分割された符号であって、前記トナーセーブ処理は、背景の符号の復号過程において、輝度コンポーネントの低周波サブバンドの係数値を増大させる側へ補正する処理であって、該補正する処理において小さい係数値に対する補正の度合が大きい係数値に対する補正の度合より大きいことを特徴とする画像出力システムである。
【００２６】
請求項６記載の発明は、請求項２記載の発明に係る画像出力システムにおいて、構造化文書の背景の符号は輝度、色差の各コンポーネント別に階層的にサブバンド分割された符号であって、前記トナーセーブ処理は、背景の符号の復号過程において、輝度コンポーネントの所定階層以下の階層のサブバンドの係数値を増大させる側へ補正する処理であって、該補正する処理において小さい係数値に対する補正の度合が大きい係数値に対する補正の度合より大きいことを特徴とする画像出力システムである。
【００２７】
請求項７記載の発明は、請求項２記載の発明に係る画像出力システムにおいて、構造化文書の背景の符号は輝度、色差の各コンポーネント別にサブバンド分割され、各サブバンドの係数値に正規化が施された符号であって、前記トナーセーブ処理は、背景の符号の復号過程において、輝度コンポーネントの低周波サブバンドの係数値に対する逆正規化に用いる正規化分母値を標準値より増大させる側へ補正する処理であって、該補正する処理において小さい係数値に対する逆正規化に用いる正規化分母値の補正の度合が、大きい係数値に対する逆正規化に用いる正規化分母値の補正の度合より大きいことを特徴とする画像出力システムである。
【００２８】
請求項８記載の発明は、請求項２記載の発明に係る画像出力システムにおいて、構造化文書の背景の符号は輝度、色差の各コンポーネント別に階層的にサブバンド分割され、各サブバンドの係数値に正規化が施された符号であって、前記トナーセーブ処理は、背景の符号の復号過程において、輝度コンポーネントの所定階層以下の階層のサブバンドの係数値に対する逆正規化に用いる正規化分母値を標準値より増大させる側へ補正する処理であって、該補正する処理において小さい係数値に対する逆正規化に用いる正規化分母値の補正の度合が、大きい係数値に対する逆正規化に用いる正規化分母値の補正の度合より大きいことを特徴とする画像出力システムである。
【００２９】
請求項９記載の発明は、請求項３記載の発明に係る画像出力システムにおいて、構造化文書の背景の符号は輝度、色差の各コンポーネント別にサブバンド分割された符号であって、前記トナーセーブ処理は、背景の符号の復号過程において、輝度コンポーネントの低周波サブバンドの係数値を増大させる側へ補正する処理と、色差コンポーネントの低周波サブバンドの係数値をその絶対値を減少させる側へ補正する処理とからなり、前記輝度コンポーネントの係数値を補正する処理において、小さい係数値に対する補正の度合が大きい係数値に対する補正の度合より大きく、前記色差コンポーネントの係数値を補正する処理において、絶対値の大きい係数値に対する補正の度合が絶対値の小さい係数値に対する補正の度合より大きいことを特徴とする画像出力システムである。
【００３０】
請求項１０記載の発明は、請求項３記載の発明に係る画像出力システムにおいて、構造化文書の背景の符号は輝度、色差の各コンポーネント別に階層的にサブバンド分割された符号であって、前記トナーセーブ処理は、背景の符号の復号過程において、輝度コンポーネントの所定階層以下の階層のサブバンドの係数値を増大させる側へ補正する処理と、色差コンポーネントの所定階層以下の階層のサブバンドの係数値をその絶対値を減少させる側へ補正する処理とからなり、前記輝度コンポーネントの係数値を補正する処理において、小さい係数値に対する補正の度合が大きい係数値に対する補正の度合より大きく、前記色差コンポーネントの係数値を補正する処理において、絶対値の大きい係数値に対する補正の度合が絶対値の小さい係数値に対する補正の度合より大きいことを特徴とする画像出力システムである。
【００３１】
請求項１１記載の発明は、請求項３記載の発明に係る画像出力システムにおいて、構造化文書の背景の符号は輝度、色差の各コンポーネント別にサブバンド分割され、各サブバンドの係数値に正規化が施された符号であって、前記トナーセーブ処理は、背景の符号の復号過程において、輝度コンポーネントの低周波サブバンドの係数値に対する逆正規化に用いる正規化分母値を標準値より増大させる側へ補正する処理と、色差コンポーネントの低周波サブバンドの係数値に対する逆正規化に用いる正規化分母値を標準値より減少させる側へ補正する処理とからなり、前記輝度コンポーネントの係数値の逆正規化に用いる正規化分母値を補正する処理において、小さい係数値に対する逆正規化に用いる正規化分母値の補正の度合が、大きい係数値に対する逆正規化に用いる正規化分母値の補正の度合より大きく、前記色差コンポーネントの係数値の逆正規化に用いる正規化分母値を補正する処理において、絶対値の大きい係数値に対する逆正規化に用いる正規化分母値の補正の度合が、絶対値の小さい係数値に対する逆正規化に用いる正規化分母値の補正の度合より大きいことを特徴とする画像出力システムである。
【００３２】
請求項１２記載の発明は、請求項３記載の発明に係る画像出力システムにおいて、構造化文書の背景の符号は輝度、色差の各コンポーネント別に階層的にサブバンド分割され、各サブバンドの係数値に正規化が施された符号であって、前記トナーセーブ処理は、背景の符号の復号過程において、輝度コンポーネントの所定階層以下の階層のサブバンドの係数値に対する逆正規化に用いる正規化分母値を標準値より増大させる側へ補正する処理と、色差コンポーネントの所定階層以下の階層のサブバンドの係数値に対する逆正規化に用いる正規化分母値を標準値より減少させる側へ補正する処理とからなり、前記輝度コンポーネントの係数値の逆正規化に用いる正規化分母値を補正する処理において、小さい係数値に対する逆正規化に用いる正規化分母値の補正の度合が大きい係数値に対する逆正規化に用いる正規化分母値の補正の度合より大きく、前記色差コンポーネントの係数値の逆正規化に用いる正規化分母値を補正する処理において、絶対値の大きい係数値に対する逆正規化に用いる正規化分母値の補正の度合が絶対値の小さい係数値に対する逆正規化に用いる正規化分母値の補正の度合より大きいことを特徴とする画像出力システムである。
【００３３】
請求項１３記載の発明は、請求項１記載の発明に係る画像出力システムであって、構造化文書の背景の符号は輝度、色差の各コンポーネント別にサブバンド分割された符号であり、背景の符号の復号過程において輝度コンポーネントの画素値に対し前記トナーセーブ処理を施す高精度モードと、背景の符号の復号過程において輝度コンポーネントの低周波サブバンドの係数値に対し、あるいは、輝度コンポーネント及び色差コンポーネントの低周波サブバンドの係数値に対し、前記トナーセーブ処理を施す高速モードと有し、前記高精度モード又は前記高速モードを選択可能であることを特徴とする画像出力システムである。
【００３４】
請求項１４記載の発明は、請求項１記載の発明に係る画像処理システムであって、構造化文書の背景の符号は輝度、色差の各コンポーネント別に階層的にサブバンド分割された符号であり、背景の符号の復号過程において輝度コンポーネントの画素値に対し前記トナーセーブ処理を施す高精度モードと、背景の符号の復号過程において輝度コンポーネントの所定階層以下の階層のサブバンドの係数値に対し、あるいは、輝度コンポーネント及び色差コンポーネントの所定階層以下の階層のサブバンドの係数値に対し、前記トナーセーブ処理を施す高速モードと有し、前記高精度モード又は前記高速モードを選択可能であることを特徴とする画像出力システムである。
【００３５】
請求項１５記載の発明は、請求項４乃至１２のいずれか１項記載の発明に係る文書画像再生処理手段としてコンピュータを機能させるプログラムである。
【００３６】
請求項１６記載の発明は、請求項４乃至１２のいずれか１項記載の発明に係る文書画像再生処理手段としてコンピュータを機能させるプログラムが記録された、コンピュータが読み取り可能な情報記録媒体である。
【発明の効果】
【００３７】
請求項１〜１２に係る発明は、文書画像再生処理手段において構造化文書の背景に対しトナーセーブ処理を施すことにより、色材の消費を抑えた印刷（トナーセーブ印刷）を可能とするものである。前述のように、ＭＲＣやＪＰＭの構造化文書では、背景が写真等の絵柄の画像情報、マスクが文字領域情報、前景が文字色情報であるのが通常である。そして、一般的な文書において、最も重要な情報は文字情報であって、絵柄は文字情報を補助するという位置づけであることが多い。しかして、トナーセーブ処理を施されるのは文書画像中の絵柄部分である背景のみであって、マスクや前景は加工されないため、トナーセーブ印刷された文書の文字が読みにくくなるといった問題は確実に回避できる。
【００３８】
画像出力手段は、通常、入力した画像データを色材対応のＣＭＹＫ信号等へ変換し、さらにガンマ補正や中間調処理を施してプリント信号を生成するための画像処理を行う。画像出力手段でトナーセーブ処理を行おうとすると、画像出力手段における画像処理関連の構成が複雑化したり処理速度の低下等を招きやすい。本発明（請求項１〜１２）においては、トナーセーブ処理は文書画像再生処理手段で行われるため、画像出力手段ではトナーセーブ印刷時も通常印刷時も同一の画像処理を行えばよいので、画像出力手段の構成の複雑化や速度低下を招くことがない。
【００３９】
請求項２〜１２に係る発明は、背景の符号の復号過程において輝度コンポーネントに対して、あるいは、輝度コンポーネント及び色差コンポーネントに対してトナーセーブ処理を施す構成であって、前景及びマスクの復号処理、背景と前景を合成する処理のいずれもトナーセーブ処理から独立している。このことは、文書画像再生処理手段を実現するためのハードウェア又はソフトウェアの単純化に有利である。
【００４０】
請求項４〜８に係る発明によれば、トナーセーブ処理によって、復号される背景は明るく淡い（薄い）画像となるため、再生される文書画像データの絵柄部分は明るく淡い画像となり、このような絵柄部分は印刷時の色材の消費量が少なくて済む。したがって、トナーセーブ処理を施さない場合に比べて、文書画像データの印刷に消費される色材を節約できる。また、トナーセーブ処理を施されても背景の高周波成分の多くが保存されるため、絵柄部分の内容が識別不可能になることがない。請求項５〜８に係る発明によれば、トナーセーブ処理の対象とする係数の個数が輝度コンポーネントの総係数（総画素数）より大幅に少なくなるため、輝度コンポーネントの画素値データにトナーセーブ処理を施す請求項４に係る発明に比べ高速にトナーセーブ処理を実行可能である。
【００４１】
請求項９〜１２に係る発明によれば、トナーセーブ処理によって、復号される背景は明るく色味の弱い淡い（薄い）画像となるため、再生される文書画像データの絵柄部分は明るく色味の弱い淡い画像となり、このような絵柄部分は印刷時の色材の消費量が少なくて済む。したがって、トナーセーブ処理を施さない場合に比べて、文書画像データの印刷に消費される色材を節約できる。また、トナーセーブ処理を施されても背景の高周波成分の多くが保存されるため、絵柄部分の内容が識別不可能になることがない。また、トナーセーブ処理の対象となる係数の個数が輝度，色差コンポーネントの総係数（総画素数）より大幅に少なくなるため、トナーセーブ処理を高速に実行可能である。
【００４２】
請求項１３，１４，１５に係る発明によれば、高精度モードによるトナーセーブ印刷又は高速モードによるトナーセーブ印刷を選択することができる。請求項１５に係る発明によれば、文書画像データを実際にトナーセーブ印刷を実行する前に、高精度モード又は高速モードを選択した場合の印刷具合を確認することができるため、いずれのモードを選択すべきかの判断が容易になる。
【００４３】
請求項１６，１７に係る発明によれば、プリンタや複写機等の画像出力機器の内蔵コンピュータや、プリンタに接続されるパソコン等のコンピュータを利用し、請求項４〜１２の発明に係る文書画像再生処理手段を構築し、文書画像データのトナーセーブ印刷を実行させることができる。
【発明を実施するための最良の形態】
【００４４】
図６は、本発明の実施形態を説明するためのブロック図である。図１において、文書画像再生処理部１００は、入力される構造化文書の符号から文書画像データを再生する手段である。ここでは、再生される文書画像データはＲＧＢデータであるものとする。この文書画像再生処理部１００には、モード指定信号により、トナーセーブを行うモード（トナーセーブ・モード）が指定された場合に、再生される文書画像データをトナーセーブ印刷が可能なものにするための処理（トナーセーブ処理と呼ぶ）を、構造化文書の背景に対し施すトナーセーブ処理手段１０１を含む。
【００４５】
文書画像再生処理部１００により再生された文書画像データは画像出力部１０２に入力される。画像出力部１０２は、画像処理部１０３と作像部１０４からなる。作像部１０４は、色材を用いて用紙等の媒体上に画像を印刷する手段である。画像処理部１０３は、入力文書画像データ（ここではＲＧＢデータ）を作像部１０４に適したプリント信号に変換するものである。
【００４６】
ここでは、作像部１０４は、シアン（Ｃ）、マゼンタ（Ｍ）、イエロー（Ｙ）、ブラック（Ｋ）の色材を用いる電子写真方式の作像エンジンやインクジェット方式の作像エンジンを用いて画像を印刷するものとする。この場合、画像処理部１０３は、例えば、ＲＧＢ信号をＣＭＹＫ信号に変換する色変換処理部１０５と、このＣＭＹＫ信号に対しガンマ補正を施すガンマ補正部１０６と、ガンマ補正後のＣＭＹＫ信号にディザ処理や誤差拡散等の中間調処理を施す中間調処理部１０７とから構成される。ただし、これは例示であって、画像処理部１０３に、平滑化やエッジ強調等のためのフィルタ処理、その他の画質向上処理などの手段が含まれていてもよい。画像処理部１０３より出力されるプリント信号が作像部１０４に入力されることにより、文書画像再生処理部１００により再生された文書画像データが作像部１０４により印刷される。
【００４７】
画像処理部１０３における処理内容は、モード指示信号によってトナーセーブ・モードが指定された場合も、トナーセーブを行わないノーマル・モードが指定された場合も同一である。
【００４８】
このような画像出力システムは、文書画像再生処理部１００と画像出力部１０２をプリンタや複写機等の１つの装置にまとめられる形態、又は、文書画像再生処理部１００と画像出力部１０２を物理的に分離した装置とされる形態をとることができる。後者の形態の一例を挙げれば、画像出力部１０２はプリンタもしくは複合機（ＭＦＰ；Multi  Function  Printer）であり、文書画像再生処理装置１００はパソコンなどのコンピュータにプログラムとして（例えばプリンタドライバ）として実装される。以上のシステム形態の具体例は後述する。
【００４９】
図７に文書画像再生処理部１００の好ましい内部構成を示すブロック図である。図示のように、文書画像再生処理部１００は、構造化文書の前景の符号、マスクの符号、背景の符号の復号処理を実行する前景復号部１１０、マスク復号部１１１、背景復号部１１２と、これら各復号部により復号された前景、マスク、背景から前述したような方法によって文書画像データを合成する合成処理部１１３から構成される。
【００５０】
トナーセーブ処理手段１０１は、構造化文書の背景に対しトナーセーブ処理を施すものであるので、背景復号部１１２の後段に設けることも可能であるが、好ましくは図示のように背景復号部１１２の内部に設けられる。このようにすると、トナーセーブ処理を背景復号部１１２以外の部分もしくは処理から分離できるため、文書画像再生処理手段１００を実現するためのハードウェア又はソフトウェアの単純化に有利である。
【００５１】
なお、図１に示した例のように、前景、マスク、背景の解像度もしくは画像サイズが異なる場合には、解像度を一致させるための解像度変換が合成処理部１１３で行われる。
【００５２】
以下、背景復号部１１２及びトナーセーブ手段１０１に関し、いくつかの実施例について詳細に説明する。なお、後記各実施例では、構造化文書の背景がＪＰＥＧ２０００により符号化されている場合を想定している。
【００５３】
＜実施例１＞
図８は、本実施例に係る背景復号部１１２及びトナーセーブ処理手段１０１の構成を示すブロック図である。図８において、２１，２２，２３，２４，２５，２６は図５中の同じ番号の処理ブロックである。輝度補正部２０１と輝度補正テーブル２０２はトナーセーブ処理手段１０１を構成するものである。
【００５４】
輝度補正部２０１は、トナーセーブ・モードが指定された場合に、処理ブロック２５の逆ウェーブレット変換により復元された輝度コンポーネントの画素値を補正する手段である。ノーマル・モードが指定された場合、輝度補正部２０１では何ら補正を行わない。
【００５５】
トナーセーブ・モードが指定された場合の輝度補正部２０１の処理フローを図９に示す。まず、輝度コンポーネントの注目画素の輝度値ｘに対応した補正値ｙを輝度補正テーブル２０２より読み込み（ｓｔｅｐ１）、注目画素の輝度値ｘを補正値ｙに置き換える（ｓｔｅｐ２）。注目画素を次の画素へ移動させ（ｓｔｅｐ４）、ｓｔｅｐ１に戻る。注目画素を順次移動しながら同様の輝度コンポーネントの画素値補正を繰り返し、最後の画素まで処理済みとなると（ｓｔｅｐ３，Ｙｅｓ）、処理を終わる。
【００５６】
このようにして補正された後の輝度コンポーネント及び補正がなされなかった色差Ｃｂ，Ｃｒコンポーネントのデータに対し処理ブロック２６でＤＣ逆レベルシフト及び逆色変換が施されることにより元のＲＧＢ表色系の背景データ（画素値）が再生される。
【００５７】
図１０は輝度補正テーブル２０２に格納されている補正前画素値と補正後画素値（補正値）の関係を表すグラフである。補正前画素値の全域において補正後の画素値を高輝度側へ補正するが、補正前の小さい画素値（ａ）に対する補正度合（α）の方が、補正前の大きい画素値（ｂ）に対する補正度合（β）より大きい、つまりα＞βの関係の補正特性となっている。このような補正特性の輝度補正テーブル２０２を用いて輝度コンポーネントの画素値を補正することにより、処理ブロック２６によりＤＣ逆レベルシフト及び色逆変換を施した後の背景データは、図１１に示すように全体的に高輝度となり、また輝度の振幅も小さくなるため、明るく淡い（薄い）画像となる。よって、合成された文書画像データの絵柄部分は明るく淡い画像となる。このような画像は印刷時の色材の消費量が少なくて済む。
【００５８】
具体例を図１２に示す。図１２の上段に示すような前景、マスク、背景からなる構造化文書の符号の場合、ノーマル・モード時には図１２の上段右端に示すような絵柄部分の濃い文書画像データが再生される。
【００５９】
一方、トナーセーブ・モード時には、背景に対し上に述べたような輝度補正が施される結果、図１２の下段に示すように背景は明るく淡い画像とされ、したがって、下段右端に示すような絵柄部分が明るく淡い文書画像データが再生される。このような文書画像データは、ノーマル・モード時の文書画像データに比べ、印刷時に作像部１０４の色材消費量が少なくて済む。そして、トナーセーブ・モードにおいてもマスク及び前景には格別の補正が施されないため、印刷された文書画像中の文字が不鮮明になることも文字色が不自然になることもない。また、絵柄部分は明るく淡い画像となるが内容を識別可能である。
【００６０】
ここまでの説明から明らかなように、本実施例は請求項４に係る発明の一実施例であり、また、請求項１，２の一実施例でもある。
【００６１】
＜実施例２＞
図１３は、本実施例に係る背景復号部１１２及びトナーセーブ処理手段１０１の構成を示すブロック図である。図１３において、２１，２２，２３，２４，２５，２６は図５中の同じ番号が付された処理ブロックである。係数補正部３０１と輝度用係数補正テーブル３０２はトナーセーブ処理手段１０１を構成するものである。
【００６２】
係数補正部３０１は、トナーセーブ・モードが指定された場合に、処理ブロック２４によって逆量子化（逆正規化を含む）後の輝度コンポーネントの低周波サブバンドであるＬＬサブバンドの係数に対し補正を行う手段である。ノーマル・モード時には、係数補正部３０１は何らの補正も行わない。
【００６３】
トナーセーブ・モード時の係数補正部３０１の処理フローを図１４に示す。すなわち、輝度コンポーネントの注目係数がＬＬサブバンド係数であるならば（ｓｔｅｐ１１，Ｙｅｓ）、注目係数の値ｘに対応した補正値ｙを輝度用係数補正テーブル３０２より読み込み（ｓｔｅｐ１２）、注目係数値ｘを補正値ｙに置き換える（ｓｔｅｐ１３）。注目係数を次の係数へ移動させ（ｓｔｅｐ１５）、ｓｔｅｐ１１に戻る。注目係数を順次移動しながら同様のＬＬサブバンド係数の補正を繰り返し、輝度コンポーネントの残りの係数が無くなると（ｓｔｅｐ１４，Ｙｅｓ）、処理を終わる。
【００６４】
このようにしてＬＬサブバンド係数が補正された輝度コンポーネント及び補正がなされなかったＣｂ，Ｃｒ各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の背景データが再生される。
【００６５】
図１５は係数補正テーブル３０２に格納されている補正前係数値と補正後係数値（補正値）の関係を表すグラフである。係数値の全域で高輝度側へ補正するが、小さな係数値（ｃ）に対する補正度合（Ｃ）の方が大きな係数値（ｄ）に対する補正度合（Ｄ）より大きい、つまりＣ＞Ｄの関係の補正特性となっている。
【００６６】
このような補正特性の輝度用係数補正テーブル３０２を用いて上述の輝度コンポーネントのＬＬサブバンドの係数値補正を行うため、処理ブロック２５により逆ウェーブレット変換し、処理ブロック２６でＤＣ逆レベルシフト及び色逆変換を行って再生される背景は、全体的に明るく淡い（薄い）画像となる。よって、合成される文書画像データの絵柄部分は明るく淡い画像となるため、前記実施例１に述べたように印刷時の色材の消費が節減される。背景のＬＬサブバンド係数以外のサブバンドの係数は補正されないため、文書画像の絵柄中の輪郭などはかなり保存され、絵柄部分の内容は十分に判読可能である。前景やマスクについては補正処理が行われないため、文字や文字色は普通に再現される。
【００６７】
図１６に示すように、ウェーブレット変換のデコンポジションレベル数（階層数）＝２の場合、ＬＬ（２ＬＬ）サブバンド係数の個数は全係数（総画素数）の１６分の１と少ないため、前記実施例１のように逆ウェーブレット変換後の輝度コンポーネントの全画素を補正する場合に比べ、補正のための処理量が大幅に減少し処理の高速化に有利である。この利点はデコンポジションレベル数が大きいほど顕著である。すなわち、デコンポジションレベル数をＮとすると、ＬＬサブバンド係数の個数は、全係数の２の２Ｎ乗分の１である。例えばＮ＝３の場合、ＬＬサブバンド係数の個数は全係数の６４分の１となるので、さらに補正処理を高速化可能である。
【００６８】
ここまでの説明から明らかなように、本実施例は請求項５に係る発明の一実施例であり、また、請求項１，２に係る発明の一実施例である。
【００６９】
付言すれば、ｓｔｅｐ１１で注目係数の属するデコンポジションレベル（階層）が所定レベル以上であるか判定し、所定のデコンポジションレベル以上のデコンポジションレベルの（所定階層以下の階層の）各サブバンドの係数についてｓｔｅｐ１２，１３で補正を行うようにしてもよい。例えば、デコンポジションレベル数が３の場合に、デコンポジションレベル３（最低階層）のＬＬサブバンド、ＬＨサブバンド、ＨＬサブバンド、ＨＨサブバンドの係数を補正するようにすることもできる。ただし、各サブバンド係数用の係数補正値を輝度用補正テーブル３０２に格納しておく必要がある。このような構成としても、印刷時の色材消費量を節約可能な文書画像データを再生可能であることは以上の説明から明らかである。このような態様は、請求項６に係る発明の一実施例に相当する。
【００７０】
＜実施例３＞
図１７は、本実施例に係る背景復号部１１２及びトナーセーブ処理手段１０１の構成を示すブロック図である。図１７において、２１，２２，２３，２４，２５，２６は図５中の同一番号を付けた処理ブロックである。係数補正部４０１と輝度用係数補正テーブル４０２及び色差用係数補正テーブル４０３は、トナーセーブ処理手段１０１を構成するものである。
【００７１】
係数補正部４０１は、トナーセーブ・モードを指定された場合に、処理ブロック２４で逆量子化（逆正規化を含む）後の輝度Ｙ及び色差Ｃｂ，Ｃｒの各コンポーネントの低周波サブバンドであるＬＬサブバンドの係数に対し補正を行う手段であるが、ノーマル・モードを指定された場合には何らの補正も行わない。
【００７２】
トナーセーブ・モード時の係数補正部４０１の処理フローを図１８に示す。すなわち、注目係数がＬＬサブバンド係数であるならば（ｓｔｅｐ２１，Ｙｅｓ）、注目係数の値ｘに対応した補正値ｙを、当該注目係数が輝度コンポーネントならば輝度用係数補正テーブル４０２より、当該注目係数が色差コンポーネントならば色差用係数補正テーブル４０３より読み込み（ｓｔｅｐ２２）、注目係数値ｘを補正値ｙに置き換える（ｓｔｅｐ２３）。注目係数を次の係数へ移動させ（ｓｔｅｐ２５）、ｓｔｅｐ２１に戻る。注目係数を順次移動しながら各コンポーネントのＬＬサブバンドの係数の補正を繰り返す。残りの係数が無くなると（ｓｔｅｐ２４，Ｙｅｓ）、処理を終わる。
【００７３】
このようにしてＬＬサブバンドの係数が補正された後の各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の背景データが再生される。
【００７４】
輝度用係数補正テーブル４０２は前記実施例２の輝度用係数補正テーブル３０２と同じ内容のテーブルであり、格納されている補正前係数値と補正後係数値の関係は図１５のように表される。このような補正特性の係数補正テーブル４０２を用いて上述の輝度コンポーネントのＬＬサブバンド係数の補正を行うことにより、逆ウェーブレット変換後の輝度コンポーネントは全体的に明るく淡い（薄い）画像となる。
【００７５】
図１９は、色差用係数補正テーブル４０３に格納されている補正前係数値と補正後係数値（補正値）の関係を表すグラフである。図示のように、係数値の全域で色差を圧縮させるように補正するが、絶対値の小さい係数値（ｅ）に対する補正度合（Ｅ）よりも補正前の絶対値の大きい係数値（ｆ）に対する補正度合（Ｆ）が大きい、つまりＦ＞Ｅの関係の補正特性となっている。このような補正特性の係数補正テーブル４０３を用いて上述の色差コンポーネントのＬＬサブバンド係数の補正を行うため、逆ウェーブレット変換後の色差コンポーネントは色差が圧縮された色味の少ない画像となる。
【００７６】
よって、合成される文書画像データの絵柄部分は全体が明るく色味の弱い淡い画像となるため、前記実施例１に述べたように印刷時の色材の消費が節減される。背景のＬＬサブバンド以外のサブバンドの係数は補正されないため、文書画像の絵柄部分の輪郭などはかなり保存されるので絵柄部分の内容は識別可能である。前景やマスクについては補正処理が行われないため、文字や文字色は普通に再現される。
【００７７】
前記実施例２に関連して説明したが、図１６に示すようなデコンポジションレベル数＝２の場合、ＬＬサブバンド係数の個数は全係数（総画素数）の１６分の１と少ないため、輝度と色差の全コンポーネントを補正対象としても、前記実施例１のように逆ウェーブレット変換後の輝度コンポーネントの全画素を補正する場合に比べ、補正のための処理量が大幅に減少し処理の高速化に有利である。この利点はデコンポジション数が大きいほど顕著であることは前記実施例２に関連して述べた通りである。
【００７８】
ここまでの説明から明らかなように、本実施例は請求項９に係る発明の一実施例であり、また、請求項１，３に係る発明の一実施例でもある。
【００７９】
なお、前記実施例２でも言及したように、ｓｔｅｐ２１で注目係数の属するデコンポジションレベルが所定レベル以上であるか判定し、所定のデコンポジションレベル以上のデコンポジションレベルの（所定の階層以下の階層の）各サブバンド係数についてｓｔｅｐ２２，２３で補正を行うようにしてもよい。例えば、デコンポジションレベル数が３の場合に、デコンポジションレベル３（最低階層）のＬＬサブバンド、ＬＨサブバンド、ＨＬサブバンド、ＨＨサブバンドの係数を補正するようにすることもできる。ただし、各サブバンド用の係数補正値を係数補正テーブル４０２，４０３に格納しておく必要がある。このような構成としても、印刷時の色材の消費を節約可能な文書画像データを再生可能である。かかる態様は、請求項１０に係る発明の一実施例に相当する。
【００８０】
＜実施例４＞
図２０は、本実施例に係る背景復号部１１２及びトナーセーブ処理手段１０１の構成を示すブロック図である。図２０において、２１，２２，２３，２４，２５，２６は図５中の同一番号を付けた処理ブロックである。ただし、トナーセーブ・モード時に処理ブロック２４で逆正規化に用いられる正規化分母値が補正される。
【００８１】
処理ブロック２４における逆正規化処理に関連して標準正規化分母テーブル５０１の他に輝度用正規化分母補正テーブル５０２を有する。標準正規化分母テーブル５０１には標準の（符号化時の正規化で用いられたものと同じ）正規化分母値が格納されている。輝度用正規化分母補正テーブル５０２には、輝度コンポーネントのＬＬサブバンド係数のための正規化分母補正値が格納されている。トナーセーブ・モードが指定された場合には、輝度用正規化分母補正テーブル５０２に格納されている正規化分母補正値を用いて、輝度コンポーネントのＬＬサブバンド係数に対する逆正規化を行うことにより、背景に対しトナーセーブ処理が施される。すなわち、本実施例においては、処理ブロック２４（その逆正規化機能）と輝度用正規化分母補正テーブル５０３によって、トナーセーブ処理手段１０１が実現される。
【００８２】
処理ブロック２４では逆量子化と逆正規化の処理が行われるが、トナーセーブ・モードが指定された場合の逆正規化の処理フローを図２１に示す。逆正規化処理は全コンポーネントの全係数に対して行われる。なお、トナーセーブをしないノーマル・モードが指定された場合には、ｓｔｅｐ３１，ｓｔｅｐ３５，ｓｔｅｐ３６，ｓｔｅｐ３７からなる処理ループで逆正規化処理が行われる。
【００８３】
図２１を参照する。注目係数に対応した標準の正規化分母値Ｑを標準正規化分母テーブル５０１より取得する（ｓｔｅｐ３１）。注目係数が輝度コンポーネントの低周波サブバンドであるＬＬサブバンドの係数でないならば（ｓｔｅｐ３２，Ｎｏ）、標準の正規化分母値Ｑを注目係数値ｘに乗算し注目係数を逆正規化する（ｓｔｅｐ３５）。
【００８４】
注目係数が輝度コンポーネントのＬＬサブバンドの係数であるならば（ｓｔｅｐ３２，Ｙｅｓ）、注目係数値ｘに対応した正規化分母補正値Ｑ’を輝度用正規化分母補正テーブル５０２より読み込み（ｓｔｅｐ３３）、正規化分母値Ｑを正規化分母補正値Ｑ’に置き換え（ｓｔｅｐ３４）、置き換え（補正）後の正規化分母値Ｑを注目係数値ｘに乗算することにより注目係数を逆正規化する（ｓｔｅｐ３５）。
【００８５】
注目係数を次の係数へ移動させ（ｓｔｅｐ３７）、ｓｔｅｐ３１に戻る。注目係数を順次移動しながら同様の逆正規化処理を繰り返し、全コンポーネントの全ての係数が処理済みとなると（ｓｔｅｐ３６，Ｙｅｓ）、処理を終わる。
【００８６】
処理ブロック２４によって処理後の各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の背景データが再生される。
【００８７】
図２２は輝度用正規化分母補正テーブル５０２に格納されている正規化分母補正値と輝度コンポーネントのＬＬサブバンド係数の値との関係を表すグラフである。図示のように、係数値の全域で正規化分母補正値は標準の正規化分母値（標準値）より大きくなるように補正されるが、小さい係数値（ｃ）に対する補正度合（Ｃ）の方が大きい係数値（ｄ）に対する補正度合（Ｄ）より大きい、つまりＣ＞Ｄの関係の補正特性となっている。
【００８８】
このような補正特性の正規化分母補正値を、上述の輝度コンポーネントのＬＬサブバンド係数の逆正規化に用いるため、ＤＣ逆レベルシフト及び色逆変換後の背景は、全体的に明るく淡い（薄い）画像となる。よって、合成される文書画像データの絵柄部分は明るく淡い画像となるため、印刷時の色材の消費が節減される。背景のＬＬサブバンド以外のサブバンドの係数は補正されないため、文書画像の絵柄部分の輪郭などはかなり保存され、絵柄部分の内容は十分に識別可能である。前景やマスクについては補正処理が行われないため、文字や文字色は普通に再現される。
【００８９】
なお、前記実施例２に関連しても述べたが、図１６に示すように、デコンポジションレベル数＝２の場合、ＬＬサブバンドの係数の個数は全係数（総画素数）の１６分の１と少ないため、前記実施例１のように逆ウェーブレット変換後の輝度コンポーネントの全画素を補正する場合に比べ、補正のための処理量が大幅に減少し処理の高速化に有利である。この利点はデコンポジション数が大きいほど顕著である。例えばＮ＝３の場合、ＬＬサブバンド係数の個数は全係数の６４分の１となるので、さらに補正処理は高速化される。
【００９０】
ここまでの説明から明らかなように、本実施例は請求項７に係る発明の一実施例であり、したがって請求項１，２に係る発明の一実施例でもある。
【００９１】
付言すれば、ｓｔｅｐ３２で注目係数の属するデコンポジションレベルが所定レベル以上であるか判定し、輝度コンポーネントの所定のデコンポジションレベル以上のデコンポジションの（所定階層以下の階層の）各サブバンドの係数についてｓｔｅｐ３３，３４を実行するようにしてもよい。例えば、デコンポジションレベル数＝３の場合に、輝度コンポーネントのデコンポジションレベル３（最低階層）のＬＬサブバンド、ＬＨサブバンド、ＨＬサブバンド、ＨＨサブバンドの係数について、ｓｔｅｐ３３，３４を実行するようにすることもできる。ただし、各サブバンド用の正規化分母補正値を輝度用正規化分母補正テーブル５０２に格納しておく必要がある。このような構成としても、印刷時の色材消費量を節約可能な文書画像データを再生可能であることは以上の説明から明らかである。かかる態様は、請求項８に係る一実施例に相当する。
【００９２】
＜実施例５＞
図２３は、本実施例に係る背景復号部１１２及びトナーセーブ処理手段１０１の構成を示すブロック図である。図２３において、２１，２２，２３，２４，２５，２６は図５中の同じ番号が付けられた処理ブロックである。ただし、トナーセーブ・モード時に処理ブロック２４における逆正規化に用いられる正規化分母値が補正される。
【００９３】
処理ブロック２４における逆正規化処理に関連して、標準正規化分母テーブル６０１の他に、輝度用正規化分母補正テーブル６０２と色差用正規化分母補正テーブル６０３を有する。標準正規化分母テーブル６０１には標準の（符号化時の正規化で用いられたものと同じ）正規化分母値が格納されている。輝度用正規化分母補正テーブル６０２には、輝度コンポーネントのＬＬサブバンドの係数のための正規化分母補正値が格納されている。色差用正規化分母補正テーブル６０３には、色差Ｃｂ，ＣｒコンポーネントのＬＬサブバンドの係数のための正規化分母補正値が格納されている。
【００９４】
トナーセーブ・モード時には、輝度コンポーネントの低周波サブバンドであるＬＬサブバンドの係数に対する逆正規化に輝度用正規化分母補正テーブル６０２に格納されている正規化分母補正値を用い、色差コンポーネントの低周波サブバンドであるＬＬサブバンドの係数に対する逆正規化に色差用正規化分母補正テーブル６０３に格納されている正規化分母補正値を用いることにより、背景に対しトナーセーブ処理が施される。すなわち、本実施例においては、処理ブロック２４（その逆正規化機能）と輝度用正規化分母補正テーブル６０２及び色差用正規化分母補正テーブル６０３によって、トナーセーブ処理手段１０１が実現される。
【００９５】
処理ブロック２４では逆量子化と逆正規化の処理が行われるが、トナーセーブ・モード時の逆正規化の処理フローを図２４に示す。逆正規化処理は全コンポーネントの全係数に対して行われる。なお、トナーセーブをしないノーマル・モードが指定された場合には、ｓｔｅｐ４１，ｓｔｅｐ４５，ｓｔｅｐ４６，ｓｔｅｐ４７からなる処理ループで逆正規化処理が行われる。
【００９６】
図２４を参照する。注目係数に対応した標準の正規化分母値Ｑを標準正規化分母テーブル５０１より取得する（ｓｔｅｐ４１）。注目係数がＬＬサブバンド係数でないならば（ｓｔｅｐ４２，Ｎｏ）、標準の正規化分母値Ｑを注目係数値ｘに乗算することにより、注目係数を逆正規化する（ｓｔｅｐ４５）。
【００９７】
注目係数がＬＬサブバンド係数であるならば（ｓｔｅｐ４２，Ｙｅｓ）、注目係数が輝度コンポーネントならば輝度用正規化分母補正テーブル６０２より、注目係数が色差コンポーネントならば色差用正規化分母補正テーブル６０３より、注目係数値ｘに対応した正規化分母補正値Ｑ’を読み込み（ｓｔｅｐ４３）、ｓｔｅｐ４１で取得した正規化分母値Ｑを正規化分母補正値Ｑ’に置き換え（ｓｔｅｐ４４）、置き換え（補正）後の正規化分母値Ｑを注目係数値ｘに乗算し注目係数を逆正規化する（ｓｔｅｐ４５）。
【００９８】
注目係数を次の係数へ移動させ（ｓｔｅｐ４７）、ｓｔｅｐ４１に戻る。注目係数を順次移動しながら同様の逆正規化処理を繰り返し、全コンポーネントの全ての係数が処理済みとなると（ｓｔｅｐ４６，Ｙｅｓ）、処理を終わる。
【００９９】
処理ブロック２４によって処理後の各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の背景データが再生される。
【０１００】
輝度用正規化分母補正テーブル６０２は全実施例４の輝度用正規化分母補正テーブル５０２と同じ内容のテーブルであり、格納されている係数値と正規化分母補正値との関係は図２２のように表される。このような補正特性の正規化分母補正値を、上述の輝度コンポーネントのＬＬサブバンド係数の逆正規化に用いるため、処理ブロック２５で逆ウェーブレット変換した輝度コンポーネントは全体的に明るく淡い（薄い）画像となる。
【０１０１】
図２５は、色差用正規化分母補正テーブル６０３に格納されている係数値と正規化分母補正値の関係を示すグラフである。図示のように、係数値の全域で正規化分母補正値は標準の正規化分母値（標準値）より小さくなるよう補正されるが、絶対値の小さい係数値（ｅ）に対する補正度合（Ｅ）より絶対値の大きい係数値（ｆ）に対する補正度合（Ｆ）が大きい、つまりＤ＜Ｆの関係の補正特性となっている。このような正規化分母補正値を、上述の色差コンポーネントのＬＬサブバンド係数の逆正規化に用いるため、色差が圧縮される。したがって、処理ブロック２５により逆ウェーブレット変換した色差コンポーネントは色味の弱い画像となる。
【０１０２】
以上から、処理ブロック２６によりＤＣ逆レベルシフト及び色逆変換後の背景は、全体的に明るく色味の弱い淡い画像となる。よって、合成される文書画像データの絵柄部分は明るく色味の少ない淡い画像となるため、印刷時の色材の消費が節減される。背景のＬＬサブバンド以外のサブバンドの係数は補正されないため、文書画像の絵柄中の輪郭などはかなり保存され、絵柄部分の内容は十分に識別可能である。前景やマスクについては補正処理が行われないため、文字や文字色は普通に再現される。
【０１０３】
なお、前記実施例２に関連しても述べたが、図１６に示すように、デコンポジションレベル数＝２の場合、ＬＬサブバンド係数の個数は全係数（総画素数）の１６分の１と少ないため、前記実施例１のように逆ウェーブレット変換後の輝度コンポーネントの全画素を補正する場合に比べ、補正のための処理量が大幅に減少し処理の高速化に有利である。この利点はデコンポジション数が大きいほど顕著である。例えばＮ＝３の場合、ＬＬサブバンド係数の個数は全係数の６４分の１となるので、さらに補正処理は高速化される。
【０１０４】
以上の説明から明らかなように、本実施例は請求項１１に係る発明の一実施例であり、したがって請求項１，３に係る発明の一実施例でもある。
【０１０５】
また、ｓｔｅｐ４２で注目係数の属するデコンポジションレベルが所定レベル以上であるか判定し、所定のデコンポジションレベル以上のデコンポジションレベルの（所定階層以下の階層の）各サブバンドの係数についてｓｔｅｐ４３，４４を実行するようにしてもよい。例えば、デコンポジションレベル数が３の場合に、デコンポジションレベル３（最低階層）のＬＬサブバンド、ＬＨサブバンド、ＨＬサブバンド、ＨＨサブバンドの係数について、ｓｔｅｐ４３，４４を実行するようにすることもできる。ただし、各サブバンド用の正規化分母補正値を輝度用正規化分母補正テーブル６０２及び色差用正規化分母補正テーブル６０３に格納しておく必要がある。このような構成としても、印刷時の色材の消費量を節約可能な文書画像データを再生可能であることは以上の説明から明らかである。かかる態様は、請求項１２に係る発明の一実施例に相当する。
【０１０６】
＜他の実施例＞
図示しないが、前記実施例１，２，３，４，５を組合せた構成とすることも可能である。例えば、実施例１のような画素値補正によるトナーセーブ処理手段と、実施例２（もしくはその変形例）又は実施例３（もしくはその変形例）のような係数値補正によるトナーセーブ処理手段を背景復号部１１２に設け、その一方のトナーセーブ処理手段を選択して作用させる構成も可能であり、かかる態様も本実施形態に包含される。また例えば、実施例１のような画素値補正によるトナーセーブ処理手段と、実施例４（もしくはその変形例）又は実施例５（もしくはその変形例）のような逆正規化補正によるトナーセーブ処理手段を背景復号部１１２に設け、その一方のトナーセーブ処理手段を選択して作用させる構成も可能であり、かかる態様も本実施形態に包含される。以上は請求項１３，１４に係る発明の説明に相当する。
【０１０７】
［プリンタの構成例］
図２６に本発明に係るプリンタのハードウェア構成の一例を示す。図２６において、７０１はＣＰＵ、７０２は制御や処理のためのプログラムが格納されたＲＯＭ、７０３はＣＰＵ７０１の作業記憶域や実行プログラムの記憶域等として利用されるＲＡＭ、７０４は復号部、７０５は外部のパソコンＰＣとの通信のためのインターフェース部である。７０５は画像出力部であり、画像処理部７０７（図６の画像処理部１０３に対応）と作像部７０８（図６の作像部１０４に対応）とからなる。
【０１０８】
復号部７０４は、図７中の前景復号部１１０、マスク復号部１１１、背景復号部１１２（トナーセーブ処理手段１０１を含む）からなるものである。図７の合成処理部１１３の機能は、ＣＰＵ７０１のプログラム処理によって実現される。ただし、合成処理部１１３の機能を画像処理部７０７に含ませることも可能である。
【０１０９】
パソコンＰＣから転送される構造化文書符号はインターフェース部７０５を通じて取り込まれ、ＲＡＭ７０３の特定領域に一時的に蓄積される。ノーマル・モード又はトナーセーブ・モードの指定もパソコンＰＣより与えられる。トナーセーブ・モードが指定された場合、ＣＰＵ７０１により復号部７０４内の背景復号部のトナーセーブ処理手段が有効とされ、前記実施例１，２，３，４又は５もしくはそれら変形例で説明したトナーセーブ処理が実行される。
【０１１０】
ＣＰＵ７０１からの命令により復号部７０４にＲＡＭ７０３上の構造化文書の符号が転送され、前景、マスク及び背景が復号され、この際にトナーセーブ・モードが指定されているならば背景復号部において背景に対しトナーセーブ処理が施される。復号された前景、マスク、背景のデータはＲＡＭ７０３へ転送される。この前景、マスク、背景のデータから文書画像データを合成する処理がＣＰＵ７０１のプログラム処理によって実行され、ＲＡＭ７０３上に文書画像データが再生される。この文書画像データは、ＣＰＵ７０１からの命令により画像処理部７０７へ転送されて処理され、プリント信号が作像部７０８へ出力されることにより、構造化文書符号から再生された文書画像データが印刷される。トナーセーブ・モードが指定された場合には、背景に対し前述のようなトナーセーブ処理が施されるためトナーセーブ印刷となり、作像部７０８の色材消費が抑えられる。
【０１１１】
なお、復号部７０４の機能を含む文書画像再生処理部をＣＰＵ７０１のプログラム処理によって実現することも可能であり、かかる態様も本実施形態に包含される。そのためのプログラムは、請求項１６に係る発明の一実施例に相当する。
【０１１２】
［文書画像再生処理部をコンピュータ側に実装する形態］
文書画像再生処理部をプリンタ（画像出力装置）側に実装するのではなく、プリンタに接続されるパソコン等のコンピュータ側にソフトウェア（アプリケーション、プリンタドライバ等）として実装することも可能である。図２７は、かかる実施形態を説明するためのフローチャートである。
【０１１３】
図２７において、パソコン等のコンピュータ側の例えばプリンタドライバによって、構造化文書の前景符号の復号処理（ｓｔｅｐ５１）、マスク符号の復号処理（ｓｔｅｐ５２）、トナーセーブ処理を含む背景符号の復号処理（ｓｔｅｐ５３）、復号されたマスクに従って、復号された前景と背景を合成する処理（ｓｔｅｐ５４）を実行して文書画像データを再生し、この文書画像データをインターフェースケーブルやＬＡＮケーブルを介してプリンタへ転送する。プリンタ側では、その画像処理部で、パソコンより転送された文書画像データをＣＭＹＫ信号へ変換する処理（ｓｔｅｐ５５）、ガンマ補正処理（ｓｔｅｐ５６）、中間調処理（ｓｔｅｐ５７）を実行してプリント信号を生成し、これを作像部に与えて文書画像を印刷する。
【０１１４】
上記プリンタドライバのような、文書画像生成処理部としてパソコン等のコンピュータを機能させるプログラムは請求項１６に係る発明の一実施例に相当する。また、このようなプログラムが記録された磁気ディスク、光ディスク、光磁気ディスク、半導体記憶素子等のコンピュータが読み取り可能な情報記録媒体は、請求項１７に係る発明の一実施例に相当する。
【０１１５】
［複写機の構成例］
図２８に本発明に係る複写機のハードウェア構成の一例を示す。図２８において、８０１はＣＰＵ、８０２は制御や処理のためのプログラムが格納されたＲＯＭ、８０３はＣＰＵ８０１の作業記憶域や実行プログラムの記憶域等として利用されるＲＡＭである。８０４は文書の原稿を光学的に読み取って文書画像データ（ラスターデータ）を入力する画像入力部、８０５は画像入力部８０４より入力された文書画像データから前景、マスク、背景からなる構造化文書の符号を生成する符号化部、８０６は構造化文書符号等を保存するためのハードディスク装置のような画像保存部である。８０７は復号部、８０８は画像出力部であり、これは図６中の画像処理部１０３に対応した画像処理部８０９と図６中の作像部１０４に対応した作像部９１０からなる。８１１は利用者が各種の指示を入力するための操作部である。
【０１１６】
復号部８０７は図７中の前景復号部１１０、マスク復号部１１１、背景復号部１１２（トナーセーブ処理手段１０１を含む）からなるものである。図７の合成処理部１１３の機能は、ＣＰＵ８０１のプログラム処理によって実現される。ただし、合成処理部１１３の機能を画像処理部８０９に含めることも可能であり、かかる態様も本実施形態に包含される。
【０１１７】
利用者は、操作部８１１を利用し、画像保存部８０６に保存されている構造化文書符号を指定し、その印刷を指示することができる。この際に、利用者はトナーセーブ・モードとトナーセーブをしないノーマル・モードの指定も行うことができる。
【０１１８】
印刷指示が入力されると、ＣＰＵ８０１からの命令により画像保存部８０６から指定された構造化文書符号がＲＡＭ８０３へ転送される。ＣＰＵ８０１からの命令によりＲＡＭ８０３上の構造化文書符号が復号部８０７へ転送され、前景、マスク及び背景が復号される。トナーセーブ・モードが指定されている場合にはＣＰＵ８０１により背景復号部内のトナーセーブ処理手段が有効にされるため、背景に対しトナーセーブ処理が施される。復号された前景、マスク、背景のデータはＲＡＭ８０３へ転送される。この前景、マスク、背景のデータから文書画像データを合成する処理がＣＰＵ８０１のプログラム処理によって実行され、ＲＡＭ８０３上に文書画像データが再生される。この文書画像データは、ＣＰＵ８０１からの命令により画像処理部８０９へ転送されて処理され、プリント信号が作像部８１０へ出力されることにより、構造化文書符号から再生された文書画像データが印刷される。トナーセーブ・モードが指定された場合には、背景に対し前述のようなトナーセーブ処理が施されるため、作像部８１０の色材の消費が抑えられる。
【０１１９】
復号部８０７内の背景復号部に前記［他の実施例］に述べたように複数のトナーセーブ処理手段を持たせ、利用者がトナーセーブ処理手段を選択できるようにすることもできる。この場合、利用者が、選択したトナーセーブ処理手段を適用した場合にどのような印刷結果となるか予め確認できるようにすると好都合であろう。
【０１２０】
そのためには、各トナーセーブ処理手段に対応させて、それを適用した場合の印刷例を示すためのプレビュー画像データを画像保存部８０６に保存しておき、利用者が選択したトナーセーブ処理手段に対応したプレビュー画像データを表示し、利用者に確認させるような構成とすることができる。
【０１２１】
例えば、利用者が図２９に示すような操作部８１１の「トナーセーブ」ボタン９１５を押してトナーセーブ・モードを指定した場合に、操作部８１１の表示部９１１に図２９に示すような選択画面９１２を表示させ、「高速」ボタン９１３又は「高精度」ボタン９１４を利用者に選択させる。ここで、「高速」ボタン９１３は例えば前記実施例２のトナーセーブ処理手段を指定するソフトウェアのボタンであり、「高精度」ボタン９１４は例えば前記実施例１のトナーセーブ処理手段を指定するソフトウェアのボタンである。そして、例えば「高速」ボタン９１３が押された場合、前記実施例２のトナーセーブ処理手段に対応したプレビュー画像データを画像保存装置８０６より読み出し、図３０に示すようなプレビュー画像９１７として表示部９１１に表示させて利用者に確認させる。そして、利用者は「確定」ボタン９２１を押すことにより「高速」ボタン９１３の選択を確定することができる。利用者は選択をし直したい場合には「取消」ボタン９２２を押すことにより、図２９の選択画面の状態に戻し、再度選択を行うことができる。このような選択に関する処理はＣＰＵ８０１のプログラム処理によって実行させることができる。以上は請求項１５に係る発明の一実施例の説明である。
【０１２２】
［その他］
以上の説明では背景の符号はＪＰＥＧ２０００の符号であったが、これのみに限定されるものではない。例えば、輝度，色差の各コンポーネント別に符号化された符号ならば、前記実施例１と同様な輝度補正によるトナーセーブ処理が可能である。サブバンド分割を行う符号化方式により符号化された符号ならば、前記実施例２又は３と同様な係数補正によるトナーセーブ処理が可能である。サブバンド分割を行い係数の正規化を行う符号化方式により符号化された符号ならば、前記実施例４又は５と同様な正規化分母補正によるトナーセーブ処理が可能である。
【図面の簡単な説明】
【０１２３】
【図１】構造化文書とその符号の例を示す模式図である。
【図２】ＪＰＥＧ２０００符号化アルゴリズムを説明するためのブロック図である。
【図３】２次元ウェーブレット変換によるサブバンド分割例を示す図である。
【図４】タイル、サブバンド、プレシンクト、コードブロックの説明図である。
【図５】ＪＰＥＧ２０００復号アルゴリズムを説明するためのブロック図である。
【図６】本発明の実施形態を説明するためのブロック図である。
【図７】文書画像再生処理部のブロック図である。
【図８】背景復号部及びトナーセーブ処理手段の実施例１を示すブロック図である。
【図９】輝度補正部の処理内容を示すフローチャートである。
【図１０】輝度補正テーブルを説明するためのグラフである。
【図１１】トナーセーブ処理の効果を説明するための図である。
【図１２】構造化文書の例とトナーセーブ処理の結果を示す図である。
【図１３】背景復号部及びトナーセーブ処理手段の実施例２を示すブロック図である。
【図１４】係数補正部の処理内容を示すフローチャートである。
【図１５】輝度用係数補正テーブルを説明するためのグラフである。
【図１６】ＬＬサブバンド係数の総係数（総画素数）に対する割合を説明するための図である。
【図１７】背景復号部及びトナーセーブ処理手段の実施例３を示すブロック図である。
【図１８】係数補正部の処理内容を示すフローチャートである。
【図１９】色差用係数補正テーブルを説明するためのグラフである。
【図２０】背景復号部及びトナーセーブ処理手段の実施例４を示すブロック図である。
【図２１】逆正規化処理のフローチャートである。
【図２２】輝度用正規化分母補正テーブルを説明するためのグラフである。
【図２３】背景復号部及びトナーセーブ処理手段の実施例５を示すブロック図である。
【図２４】逆正規化処理のフローチャートである。
【図２５】色差用正規化分母補正テーブルを説明するためのグラフである。
【図２６】本発明に係るプリンタの構成例を示すブロック図である。
【図２７】文書画像再生処理部をパソコン側に実装する形態を説明するためのフローチャートである。
【図２８】本発明に係る複写機の構成例を示すブロック図である。
【図２９】操作部の説明図である。
【図３０】操作部の説明図である。
【符号の説明】
【０１２４】
１  文書画像データ
２  前景
３  マスク
４  背景
１１  ＤＣレベルシフト及び色変換のための処理ブロック
１２  ウェーブレット変換のための処理ブロック
１３  量子化及び正規化のための処理ブロック
１４  ビットプレーン符号化のための処理ブロック
１５  パケット生成のための処理ブロック
１６  符号形成のための処理ブロック
２１  符号解析のための処理ブロック
２２  パケット分割のための処理ブロック
２３  ビットプレーン復号のための処理ブロック
２４  逆量子化及び逆正規化のための処理ブロック
２５  逆ウェーブレット変換のための処理ブロック
２６  ＤＣ逆レベルシフト及び逆色変換のための処理ブロック
１００  文書画像再生処理部
１０１  トナーセーブ処理手段
１０２  画像出力部
１０３  画像処理部
１０４  作像部
１０５  色変換処理部
１０６  ガンマ補正部
１０７  中間調処理部
１１０  前景復号部
１１１  マスク復号部
１１２  背景復号部
１１３  合成処理部
２０１  輝度補正部
２０２  輝度補正テーブル
３０１  係数補正部
３０２  輝度用係数補正テーブル
４０１  係数補正部
４０２  輝度用係数補正テーブル
４０３  色差用係数補正テーブル
５０１  標準正規化分母テーブル
５０２  輝度用正規化分母補正テーブル
６０１  標準正規化分母テーブル
６０２  輝度用正規化分母補正テーブル
６０３  色差用正規化分母補正テーブル
【図１】
2007235679.tif 000003
【図２】
2007235679.tif 000004
【図３】
2007235679.tif 000005
【図４】
2007235679.tif 000006
【図５】
2007235679.tif 000007
【図６】
2007235679.tif 000008
【図７】
2007235679.tif 000009
【図８】
2007235679.tif 000010
【図９】
2007235679.tif 000011
【図１０】
2007235679.tif 000012
【図１１】
2007235679.tif 000013
【図１２】
2007235679.tif 000014
【図１３】
2007235679.tif 000015
【図１４】
2007235679.tif 000016
【図１５】
2007235679.tif 000017
【図１６】
2007235679.tif 000018
【図１７】
2007235679.tif 000019
【図１８】
2007235679.tif 000020
【図１９】
2007235679.tif 000021
【図２０】
2007235679.tif 000022
【図２１】
2007235679.tif 000023
【図２２】
2007235679.tif 000024
【図２３】
2007235679.tif 000025
【図２４】
2007235679.tif 000026
【図２５】
2007235679.tif 000027
【図２６】
2007235679.tif 000028
【図２７】
2007235679.tif 000029
【図２８】
2007235679.tif 000030
【図２９】
2007235679.tif 000031
【図３０】
2007235679.tif 000032